(57)【特許請求の範囲】
【請求項１】
表示される複数のコンテンツを含む表示情報を生成する表示情報生成システムであって、
コンテンツの種別間の接続に係る相関を示す相関情報を取得する相関情報取得手段と、
種別毎のコンテンツへの接続の度合いを示す接続情報を取得する接続情報取得手段と、
前記相関情報取得手段によって取得された相関情報、及び前記接続情報取得手段によって取得された接続情報に基づいて、前記表示情報における各コンテンツの表示位置を決定して、当該表示情報を生成する表示情報生成手段と、
前記表示情報生成手段によって生成された表示情報を出力する出力手段と、
を備え、
前記表示情報生成手段は、前記接続情報によって示される種別毎のコンテンツへの接続の度合いを、前記相関情報によって示される相関で重み付けして、種別毎のスコアを算出して、算出したスコアに基づいて、前記表示情報における各コンテンツの表示位置を決定する表示情報生成システム。
【請求項２】
表示される複数のコンテンツを含む表示情報を生成する表示情報生成システムであって、
コンテンツの種別間の接続に係る相関を示す相関情報を取得する相関情報取得手段と、
種別毎のコンテンツへの接続の度合いを示す接続情報を取得する接続情報取得手段と、
前記相関情報取得手段によって取得された相関情報、及び前記接続情報取得手段によって取得された接続情報に基づいて、前記表示情報における各コンテンツの表示位置を決定して、当該表示情報を生成する表示情報生成手段と、
前記表示情報生成手段によって生成された表示情報を出力する出力手段と、
を備え、
前記相関情報取得手段は、異なる前記種別間の前記相関を示す相関情報を取得し、当該相関のうち最も相関が高いものに対して予め設定された演算を行うことで、同一の前記種別間の前記相関を算出する表示情報生成システム。
【請求項３】
表示される複数のコンテンツを含む表示情報を生成する表示情報生成システムであって、
コンテンツの種別間の接続に係る相関を示す相関情報を取得する相関情報取得手段と、
種別毎のコンテンツへの接続の度合いを示す接続情報を取得する接続情報取得手段と、
前記相関情報取得手段によって取得された相関情報、及び前記接続情報取得手段によって取得された接続情報に基づいて、前記表示情報における各コンテンツの表示位置を決定して、当該表示情報を生成する表示情報生成手段と、
前記表示情報生成手段によって生成された表示情報を出力する出力手段と、
を備え、
前記接続情報取得手段は、生成対象の表示情報に含まれるコンテンツに係る接続情報、及び生成対象以外の表示情報に含まれるコンテンツに係る接続情報を取得して、
前記表示情報生成手段は、生成対象の表示情報に含まれるコンテンツに係る接続情報、及び生成対象以外の表示情報に含まれるコンテンツに係る接続情報の相違にも基づいて、各コンテンツの表示位置を決定する、表示情報生成システム。
【請求項４】
前記相関情報取得手段は、相関情報を算出するために、種別毎のコンテンツへの接続の度合いを示すと共に複数の当該接続を１つの単位とした相関情報算出用情報を取得して、当該相関情報算出用情報に基づいて相関情報を算出する請求項１〜３の何れか一項に記載の表示情報生成システム。
【請求項５】
前記接続情報取得手段は、種別毎のコンテンツへの接続数を示す情報を取得して、取得した情報によって示される接続数に対して、予め設定された演算を行うことで、前記接続の度合いを算出する請求項１〜４の何れか一項に記載の表示情報生成システム。
【請求項６】
前記コンテンツは、商品の購買に係るものであり、
前記接続情報取得手段は、前記コンテンツから前記商品が購買された度合いを示す購買情報も取得し、
前記表示情報生成手段は、前記接続情報取得手段によって取得された購買情報にも基づいて、前記表示情報における各コンテンツの表示位置を決定する、請求項１〜５の何れか一項に記載の表示情報生成システム。
【請求項７】
表示される複数のコンテンツを含む表示情報を生成する表示情報生成システムの動作方法である表示情報生成方法であって、
コンテンツの種別間の接続に係る相関を示す相関情報を取得する相関情報取得ステップと、
種別毎のコンテンツへの接続の度合いを示す接続情報を取得する接続情報取得ステップと、
前記相関情報取得ステップにおいて取得された相関情報、及び前記接続情報取得ステップにおいて取得された接続情報に基づいて、前記表示情報における各コンテンツの表示位置を決定して、当該表示情報を生成する表示情報生成ステップと、
前記表示情報生成ステップにおいて生成された表示情報を出力する出力ステップと、
を含み、
前記表示情報生成ステップにおいて、前記接続情報によって示される種別毎のコンテンツへの接続の度合いを、前記相関情報によって示される相関で重み付けして、種別毎のスコアを算出して、算出したスコアに基づいて、前記表示情報における各コンテンツの表示位置を決定する表示情報生成方法。
【請求項８】
表示される複数のコンテンツを含む表示情報を生成する表示情報生成システムの動作方法である表示情報生成方法であって、
コンテンツの種別間の接続に係る相関を示す相関情報を取得する相関情報取得ステップと、
種別毎のコンテンツへの接続の度合いを示す接続情報を取得する接続情報取得ステップと、
前記相関情報取得ステップにおいて取得された相関情報、及び前記接続情報取得ステップにおいて取得された接続情報に基づいて、前記表示情報における各コンテンツの表示位置を決定して、当該表示情報を生成する表示情報生成ステップと、
前記表示情報生成ステップにおいて生成された表示情報を出力する出力ステップと、
を含み、
前記相関情報取得ステップにおいて、異なる前記種別間の前記相関を示す相関情報を取得し、当該相関のうち最も相関が高いものに対して予め設定された演算を行うことで、同一の前記種別間の前記相関を算出する表示情報生成方法。
【請求項９】
表示される複数のコンテンツを含む表示情報を生成する表示情報生成システムの動作方法である表示情報生成方法であって、
コンテンツの種別間の接続に係る相関を示す相関情報を取得する相関情報取得ステップと、
種別毎のコンテンツへの接続の度合いを示す接続情報を取得する接続情報取得ステップと、
前記相関情報取得ステップにおいて取得された相関情報、及び前記接続情報取得ステップにおいて取得された接続情報に基づいて、前記表示情報における各コンテンツの表示位置を決定して、当該表示情報を生成する表示情報生成ステップと、
前記表示情報生成ステップにおいて生成された表示情報を出力する出力ステップと、
を含み、
前記接続情報取得ステップにおいて、生成対象の表示情報に含まれるコンテンツに係る接続情報、及び生成対象以外の表示情報に含まれるコンテンツに係る接続情報を取得して、
前記表示情報生成ステップにおいて、生成対象の表示情報に含まれるコンテンツに係る接続情報、及び生成対象以外の表示情報に含まれるコンテンツに係る接続情報の相違にも基づいて、各コンテンツの表示位置を決定する、表示情報生成方法。
【発明の詳細な説明】
【技術分野】
【０００１】
本発明は、表示される複数のコンテンツを含む表示情報を生成する表示情報生成システム及び表示情報生成方法に関する。
【背景技術】
【０００２】
従来から、情報処理装置において、コンテンツや機能を選択するためのメニュー表示の表示順位を、各メニューの選択頻度に基づいて設定することが提案されている（例えば、特許文献１参照）。これは、ユーザがメニュー表示を利用する際の利便性を考慮したものである。
【先行技術文献】
【特許文献】
【０００３】
【特許文献１】特開２０１１−１４５７８０号公報
【発明の概要】
【発明が解決しようとする課題】
【０００４】
ところで、ネットワーク等を介して取得される表示情報等の画面に表示されるコンテンツの順番、位置を変えて表示情報の閲覧数を増加させる取り組みがある。このような取り組みにおいて、上記の特許文献１に記載された従来技術を利用することが考えられる。例えば、表示情報に対するクリックログ等に基づき利用頻度の高いものを上位に並び替えることが考えられる。
【０００５】
しかしながら、スマートフォン等の情報処理端末に対して、複数のコンテンツを提供するポータルサイト等のサービスを運営する場合、上記の従来技術の利用に際して以下のような問題点がある。
【０００６】
新規に立ち上げられたサービスでは、コンテンツの並び替えに必要となる、当該サービス（当該表示情報）でのコンテンツに対するクリックログ等の履歴が十分に蓄積されていない。従って、このような場合、ユーザがどのコンテンツに興味があるかが不明であるため、コンテンツの適切な表示順が決定できない。また、単純に利用頻度が高いコンテンツを表示情報の上位に設定するだけでは、潜在的にユーザが興味を持っていると考えられるコンテンツを上位に設定することができない。特にスマートフォンのような画面が小さい携帯端末では、小さい画面を有効に使ってサービスを推薦する必要がある。
【０００７】
本発明は、上記の問題点に鑑みてなされたものであり、コンテンツ自体への履歴が十分でない場合であっても、複数のコンテンツを含む表示情報をユーザが利用しやすいものとすることができる表示情報生成システム及び表示情報生成方法を提供することを目的とする。
【課題を解決するための手段】
【０００８】
上記の目的を達成するために、本発明に係る表示情報生成システムは、表示される複数のコンテンツを含む表示情報を生成する表示情報生成システムであって、コンテンツの種別間の接続に係る相関を示す相関情報を取得する相関情報取得手段と、種別毎のコンテンツへの接続の度合いを示す接続情報を取得する接続情報取得手段と、相関情報取得手段によって取得された相関情報、及び接続情報取得手段によって取得された接続情報に基づいて、表示情報における各コンテンツの表示位置を決定して、当該表示情報を生成する表示情報生成手段と、表示情報生成手段によって生成された表示情報を出力する出力手段と、を備える。
【０００９】
本発明に係る表示情報生成システムでは、種別毎のコンテンツへの接続の度合いに基づいてコンテンツの表示位置が決定されるため、表示対象のコンテンツ自体への接続の履歴が十分でない場合であっても、コンテンツの表示位置を適切にすることができる。また、コンテンツの種別間の接続に係る相関に基づいてコンテンツの表示位置が決定されるため、例えば、潜在的にユーザが興味を持っていると考えられるコンテンツの表示位置を適切にすることができる。即ち、本発明に係る表示情報生成システムによれば、コンテンツ自体への履歴が十分でない場合であっても、複数のコンテンツを含む表示情報をユーザが利用しやすいものとすることができる。
【００１０】
表示情報生成手段は、接続情報によって示される種別毎のコンテンツへの接続の度合いを、相関情報によって示される相関で重み付けして、種別毎のスコアを算出して、算出したスコアに基づいて、表示情報における各コンテンツの表示位置を決定する。この構成によれば、適切かつ確実にコンテンツの表示位置を決定することができ、適切かつ確実に本発明を実施することができる。
【００１１】
相関情報取得手段は、相関情報を算出するために、種別毎のコンテンツへの接続の度合いを示すと共に複数の当該接続を１つの単位とした相関情報算出用情報を取得して、当該相関情報算出用情報に基づいて相関情報を算出することとしてもよい。この構成によれば、適切な相関情報を得ることができ、適切に本発明を実施することができる。
【００１２】
接続情報取得手段は、種別毎のコンテンツへの接続数を示す情報を取得して、取得した情報によって示される接続数に対して、予め設定された演算を行うことで、接続の度合いを算出することとしてもよい。この構成によれば、接続の度合いを、例えば、コンテンツの並べ替えの目的に応じたものとすることができ、その結果、適切なコンテンツの並べ替えを行うことができる。
【００１３】
あるいは、相関情報取得手段は、異なる種別間の相関を示す相関情報を取得し、当該相関のうち最も相関が高いものに対して予め設定された演算を行うことで、同一の種別間の相関を算出する。この構成によれば、例えば、接続が多い種別のコンテンツの表示位置を、コンテンツの並べ替えの目的に応じたものとすることができ、その結果、適切なコンテンツの並べ替えを行うことができる。
【００１４】
あるいは、接続情報取得手段は、生成対象の表示情報に含まれるコンテンツに係る接続情報、及び生成対象以外の表示情報に含まれるコンテンツに係る接続情報を取得して、表示情報生成手段は、生成対象の表示情報に含まれるコンテンツに係る接続情報、及び生成対象以外の表示情報に含まれるコンテンツに係る接続情報の相違にも基づいて、各コンテンツの表示位置を決定する。この構成によれば、生成対象の表示情報での接続、及び生成対象以外の表示情報での接続に応じて、コンテンツの表示位置を適切なものとすることができる。
【００１５】
コンテンツは、商品の購買に係るものであり、接続情報取得手段は、コンテンツから商品が購買された度合いを示す購買情報も取得し、表示情報生成手段は、接続情報取得手段によって取得された購買情報にも基づいて、表示情報における各コンテンツの表示位置を決定する、こととしてもよい。この構成によれば、コンテンツに係る商品の購買に応じて、コンテンツの表示位置を適切なものとすることができる。
【００１６】
ところで、本発明は、上記のように表示情報生成システムの発明として記述できる他に、以下のように表示情報生成方法の発明としても記述することができる。これはカテゴリが異なるだけで、実質的に同一の発明であり、同様の作用及び効果を奏する。
【００１７】
即ち、本発明に係る表示情報生成方法は、表示される複数のコンテンツを含む表示情報を生成する表示情報生成システムの動作方法である表示情報生成方法であって、コンテンツの種別間の接続に係る相関を示す相関情報を取得する相関情報取得ステップと、種別毎のコンテンツへの接続の度合いを示す接続情報を取得する接続情報取得ステップと、相関情報取得ステップにおいて取得された相関情報、及び接続情報取得ステップにおいて取得された接続情報に基づいて、表示情報における各コンテンツの表示位置を決定して、当該表示情報を生成する表示情報生成ステップと、表示情報生成ステップにおいて生成された表示情報を出力する出力ステップと、を含む。表示情報生成ステップにおいて、接続情報によって示される種別毎のコンテンツへの接続の度合いを、相関情報によって示される相関で重み付けして、種別毎のスコアを算出して、算出したスコアに基づいて、表示情報における各コンテンツの表示位置を決定する。あるいは、相関情報取得ステップにおいて、異なる種別間の相関を示す相関情報を取得し、当該相関のうち最も相関が高いものに対して予め設定された演算を行うことで、同一の種別間の相関を算出する。あるいは、接続情報取得ステップにおいて、生成対象の表示情報に含まれるコンテンツに係る接続情報、及び生成対象以外の表示情報に含まれるコンテンツに係る接続情報を取得して、表示情報生成ステップにおいて、生成対象の表示情報に含まれるコンテンツに係る接続情報、及び生成対象以外の表示情報に含まれるコンテンツに係る接続情報の相違にも基づいて、各コンテンツの表示位置を決定する。
【発明の効果】
【００１８】
本発明では、種別毎のコンテンツへの接続の度合いに基づいてコンテンツの表示位置が決定されるため、表示対象のコンテンツ自体への接続の履歴が十分でない場合であっても、コンテンツの表示位置を適切にすることができる。また、コンテンツの種別間の接続に係る相関に基づいてコンテンツの表示位置が決定されるため、例えば、潜在的にユーザが興味を持っていると考えられるコンテンツの表示位置を適切にすることができる。即ち、本発明によれば、コンテンツ自体への履歴が十分でない場合であっても、複数のコンテンツを含む表示情報をユーザが利用しやすいものとすることができる。
【図面の簡単な説明】
【００１９】
【図１】本発明の実施形態に係る表示情報生成システムである表示情報サーバーの構成を示す図である。
【図２】相関情報の例を示す表である。
【図３】接続ログの例を示す表である。
【図４】ユーザＩＤ毎にどのコンテンツカテゴリのコンテンツに接続しているかを示す情報の例を示す表である。
【図５】接続情報を算出するために用いられる情報の例を示す表である。
【図６】本発明の実施形態に係る表示情報生成システムである表示情報サーバーのハードウェア構成を示す図である。
【図７】本発明の実施形態に係る表示情報生成システムである表示情報サーバーで、相関情報を生成する際に実行される処理である表示情報生成方法の一部を示すフローチャートである。
【図８】本発明の実施形態に係る表示情報生成システムである表示情報サーバーで、表示情報を生成する際に実行される処理である表示情報生成方法を示すフローチャートである。
【図９】コンテンツカテゴリ毎のスコアを算出する際の処理を示すフローチャートである。
【発明を実施するための形態】
【００２０】
以下、図面と共に本発明に係る表示情報生成システム及び表示情報生成方法の実施形態について詳細に説明する。なお、図面の説明においては同一要素には同一符号を付し、重複する説明を省略する。
【００２１】
図１に本実施形態に係る表示情報生成システムである表示情報サーバー１０を示す。表示情報サーバー１０は、情報通信端末２０において表示される表示情報を生成して、情報通信端末２０に送信する。表示情報は、複数のコンテンツを含んでいる。複数のコンテンツそれぞれは、表示情報内で表示される情報である。具体的には例えば、表示情報は、ユーザが興味を有するトピックに関する情報、あるいは商品を販売するための情報を表示するものであり、個々のコンテンツは上記のトピック、商品のそれぞれに係る情報に相当する。当該表示情報は、例えば、ポータルサイトのトップページに相当する。
【００２２】
コンテンツは、複数のコンテンツカテゴリのうちの何れかに分類される。コンテンツカテゴリは、コンテンツの種別であり、例えば、コンテンツの内容等に応じて、表示情報サーバー１０の管理者によって予め設定される。コンテンツカテゴリは、具体的には例えば、ミュージック、トラベル、ショッピング、ファッション、動画、ブックである。コンテンツの表示情報における表示位置は、後述するように表示情報サーバー１０によって決定される。
【００２３】
情報通信端末２０は、表示情報を表示情報サーバー１０から取得して表示する装置である。情報通信端末２０は、ユーザによって用いられる。具体的には、情報通信端末２０は、携帯電話機やスマートフォン、ＰＣ（パーソナルコンピュータ）等に相当する。情報通信端末２０は、移動体通信等の通信機能を有しており、当該通信機能によって表示情報サーバー１０との間で情報の送受信を行う。
【００２４】
情報通信端末２０は、ユーザによる情報通信端末２０に対するクリック等の操作に応じて、表示情報サーバー１０に対して表示情報の送信要求を行う。表示情報サーバー１０は、当該送信要求を受信すると、当該送信要求に応じた表示情報を生成して、情報通信端末２０に送信する。情報通信端末２０は、送信された表示情報を受信して表示する。情報通信端末２０には、表示情報を表示するためのアプリケーションであるブラウザがインストールされている。受信された表示情報は、当該ブラウザによって表示される。このように情報通信端末２０は、表示情報に接続する。
【００２５】
情報通信端末２０は、表示情報に含まれるコンテンツを選択することで、更にコンテンツに応じた表示情報に接続する。このコンテンツの選択は、ユーザによる情報通信端末２０に対するクリック等の操作によって行われる。このように情報通信端末２０は、コンテンツに接続する。情報通信端末２０は、コンテンツへの接続への履歴（表示されたコンテンツのどれがユーザによってクリックされたか）をクリックログとして記憶する。クリックログの詳細については後述する。
【００２６】
情報通信端末２０は、記憶したクリックログを表示情報サーバー１０に送信する。この送信は、表示情報サーバー１０からの要求に応じて行われてもよいし、情報通信端末２０から自発的に行われてもよい。また、情報通信端末２０は、予めユーザを特定する情報であるユーザＩＤを記憶しており、クリックログの送信時にはユーザＩＤを合わせて送信する。
【００２７】
引き続いて、本実施形態に係る表示情報サーバー１０の機能を説明する。図１に示すように、表示情報サーバー１０は、相関情報取得部１１と、接続情報取得部１２と、表示情報生成部１３と、出力部１４とを備えて構成される。また、表示情報サーバー１０は、上記の機能以外にも表示情報を提供する通常のサーバーが有する機能を有している。
【００２８】
相関情報取得部１１は、コンテンツカテゴリ間の接続に係る相関を示す相関情報（相関データ）を取得する相関情報取得手段である。相関情報は、例えば、図２（ａ）に示すように２つのコンテンツカテゴリ間の数値で表されるものである。コンテンツカテゴリ間の接続に係る相関は、２つのコンテンツカテゴリのコンテンツへの接続がどれだけ類似しているかを示すものである。例えば、一方のコンテンツカテゴリのコンテンツへ接続するユーザが、どの程度、もう一方のコンテンツカテゴリのコンテンツへ接続しているかを示すものである。例えば、図２（ａ）の例では、数値が高いほど当該相関が高いことを示している。
【００２９】
相関情報は、後述するように表示情報におけるコンテンツの表示位置の決定に用いられる。その観点から、同一のコンテンツカテゴリ間の相関は、必ずしも上記の意味での相関を示すものではないこととしてもよい。
【００３０】
相関情報取得部１１は、相関情報を算出するために、コンテンツカテゴリ毎のコンテンツへの接続の度合いを示すと共に複数の当該接続を１つの単位とした相関情報算出用情報を取得して、当該相関情報算出用情報に基づいて相関情報を算出する。具体的には、相関情報取得部１１は、以下のように相関情報を算出する。
【００３１】
相関情報取得部１１は、まず、相関情報算出用情報として、接続ログ（利用ログ）を取得する。接続ログは、表示情報への接続の履歴を示すものである。例えば、接続ログは、図３（ａ）に示す情報である。図３（ａ）に示すように、接続ログは、時刻、ユーザＩＤ及び接続先が対応付けられたものである。時刻は、表示情報に接続された時刻である。ユーザＩＤは、接続を行ったユーザ（情報通信端末２０）を特定する情報である。接続先は、接続した表示情報の接続先を特定する情報である。接続先としては、従来のネットワーク上の情報を特定する任意の情報が用いられえる。
【００３２】
接続ログに係る表示情報は、表示情報サーバー１０の生成対象である表示情報及び当該表示情報のコンテンツから接続される表示情報（生成対象である表示情報のコンテンツにリンクされている表示情報）とは異なる表示情報であってもよい。即ち、接続ログに係る表示情報は、外部データであってもよい。また、接続ログに係る表示情報は、生成対象である表示情報のコンテンツから接続される表示情報（生成対象である表示情報のコンテンツにリンクされている表示情報）を含んでいてもよい。
【００３３】
相関情報取得部１１は、複数のユーザＩＤについて、複数の接続先となる表示情報に係る接続ログを取得する。相関情報取得部１１は、例えば、各情報通信端末２０のブラウザで記憶されているクリックログを接続ログとして受信することで取得する。あるいは、相関情報取得部１１は、接続ログに係る表示情報を提供している表示情報サーバー、又は各情報通信端末２０と当該表示情報サーバーとの間の通信を中継する中継装置（外部のプロキシ）から、接続ログを受信することで取得してもよい。なお、接続ログは、ユーザ許諾が得られたものである。即ち、接続ログは、許諾が得られたユーザ（の情報通信端末２０）かつ当該ユーザから許諾が得られた接続先についてのものである。あるいは、外部データについての接続ログは、表示情報サーバー１０を提供する事業者によって提供される外部データへの接続のみに係るものであってもよい。即ち、接続ログは、表示情報サーバー１０を提供する事業者以外の事業者によって提供される外部データへの接続に係る情報を含まないこととしてもよい。
【００３４】
相関情報取得部１１は、個々の接続ログ（図３（ａ）の１行のデータに相当）を予め記憶した変換ルール（辞書）に従って、コンテンツカテゴリに変換する。変換ルールは、例えば、表示情報の接続先のドメインが一般的なネットショッピングのサービスを提供しているものであればショッピングのコンテンツカテゴリに変換し、表示情報の接続先のドメインがファッションに係るネットショッピングのサービスを提供しているものであればファッションのコンテンツカテゴリに変換するというものである。即ち、変換ルールは、表示情報の接続先とコンテンツカテゴリとが対応付けられたものであり、相関情報取得部１１は、個々の接続ログの表示情報の接続先を参照して変換を行う。図３（ｂ）に変換後の接続ログを示す。
【００３５】
続いて、相関情報取得部１１は、変換後の接続ログに示されるユーザＩＤとコンテンツカテゴリとの対応から、ユーザＩＤ毎にどのコンテンツカテゴリのコンテンツに接続しているか（各ユーザがどのコンテンツカテゴリのコンテンツを少なくとも１回クリックしたか）を示す情報を生成する（当該データ形式に変換する）。この情報の例を、図４の表に示す。図４の表において、数値の１は、対応するユーザＩＤで示されるユーザが、対応するコンテンツカテゴリのコンテンツに接続したことを示している。数値の０は、対応するユーザＩＤで示されるユーザが、対応するコンテンツカテゴリのコンテンツに接続していないことを示している。例えば、ユーザＩＤが“１”のユーザは、コンテンツカテゴリがミュージックのコンテンツには接続しており、コンテンツカテゴリがトラベル及びショッピングのコンテンツには接続していない。このように接続ログは、複数の表示情報への接続を示す情報を含む、同一のユーザＩＤのデータを１つの単位として（ユーザＩＤ単位で）扱われる。
【００３６】
続いて、相関情報取得部１１は、生成した情報から、予め記憶した以下の式によって各コンテンツカテゴリの支持度を算出する。
支持度＝（当該コンテンツカテゴリの数値が１であるデータ数（ユーザＩＤ数））／全データ数（全ユーザＩＤ数）
例えば、生成した情報が図４に示すものであった場合、ミュージックについての支持度は、３／５＝０．６０となる。
【００３７】
続いて、相関情報取得部１１は、生成した情報から、予め記憶した以下の式によって各コンテンツカテゴリ同士の信頼度を算出する。以下の式は、コンテンツカテゴリＡからコンテンツカテゴリＢへの信頼度（Ａ→Ｂ）を算出するためのものである。
信頼度（Ａ→Ｂ）＝（コンテンツカテゴリＡとコンテンツカテゴリＢの数値が両方とも１であるデータ数（ユーザＩＤ数））／（コンテンツカテゴリＡの数値が１であるデータ数（ユーザＩＤ数））
例えば、コンテンツカテゴリＡがミュージックで、コンテンツカテゴリＢがトラベルの場合、コンテンツカテゴリＡとコンテンツカテゴリＢの数値が両方とも１であるデータ数は１であり、コンテンツカテゴリＡの数値が１であるデータ数は３なので、信頼度は０．３３となる。
【００３８】
続いて、相関情報取得部１１は、算出した支持度と信頼度とから、予め記憶した以下の式によって各コンテンツカテゴリ同士のリフト値を算出する。以下の式は、コンテンツカテゴリＡからコンテンツカテゴリＢへのリフト値（Ａ→Ｂ）を算出するためのものである。
リフト値（Ａ→Ｂ）＝信頼度（Ａ→Ｂ）／（コンテンツカテゴリＢの支持度）
例えば、コンテンツカテゴリＡがミュージックで、コンテンツカテゴリＢがトラベルの場合、信頼度（Ａ→Ｂ）は０．３３であり、コンテンツカテゴリＢの支持度は０．４０なので、リフト値（Ａ→Ｂ）は０．８３となる。
【００３９】
相関情報取得部１１は、互いに異なる全てのコンテンツカテゴリ同士について、リフト値を算出する。算出したリフト値は、上述したコンテンツカテゴリ間の接続に係る相関を示す値として用いられる。互いに異なる全てのコンテンツカテゴリ同士についてリフト値が算出されているので、図２（ｂ）に示すように、同一のコンテンツカテゴリ同士を除いた相関情報が得られる。なお、リフト値の算出は、従来のアソシエーションルールに基づく算出等の任意の方法によって算出されてもよい。
【００４０】
続いて、相関情報取得部１１は、互いに異なるコンテンツカテゴリ間の相関を示す値のうち最も相関が高いものに対して予め設定された演算を行うことで、同一のコンテンツカテゴリ間の相関を示す値である発見性値を算出する。具体的には、当該算出は以下のように行われる。相関情報取得部１１は、予め発見性パラメータを記憶しておく。発見性パラメータは、０〜１の何れかの数値であり、例えば、表示情報サーバー１０の管理者によって予め設定される。相関情報取得部１１は、互いに異なるコンテンツカテゴリ間の相関を示す値のうち最も相関が高いものと発見性パラメータとから、予め記憶した以下の式によって同一のコンテンツカテゴリ同士の相関を示す値である発見性値を算出する。
（発見性値）＝（全リフト値の最大値）×（発見性パラメータ）
例えば、図２（ｂ）に示すように全リフト値の最大値が１．４６であり、発見性パラメータが０．７であった場合には、発見性値は１．０２となる。これにより、図２（ａ）に示すような全てのコンテンツカテゴリ同士の相関を示す相関情報が得られる。
【００４１】
相関情報取得部１１によって算出された図２（ａ）に示す相関情報は、表示情報サーバー１０に格納（記憶）されて、表示情報生成部１３によって参照される。相関情報取得部１１による相関情報の取得、即ち、相関情報の算出の一連の処理は、例えば、予め設定された時間間隔毎に定期的に行われる。なお、本実施形態では、相関情報取得部１１が、接続ログに基づいて相関情報を算出することとしているが、算出を行わずに外部の装置から相関情報を取得することとしてもよい。
【００４２】
接続情報取得部１２は、コンテンツカテゴリ毎のコンテンツへの接続の度合いを示す接続情報を取得する接続情報取得手段である。接続情報取得部１２は、接続情報を以下のように取得する。接続情報取得部１２は、例えば、上記の相関情報取得部１１によって取得された接続ログを取得する。接続情報取得部１２は、表示情報サーバー１０からの表示情報（自装置１０からの表示情報）の送信先となるユーザに係るユーザＩＤ（情報通信端末２０）について接続ログを取得する。なお、接続情報取得部１２は、表示情報サーバー１０の表示情報からコンテンツへの接続に係る情報のみの接続ログを取得することとしてもよい。即ち、表示情報サーバー１０のコンテンツ以外の表示情報への接続に係る情報は取得しないこととしてもよい。
【００４３】
接続情報取得部１２は、例えば、図５（ａ）に示す情報を取得する。図５（ａ）に示すように取得される情報は、例えば、時刻及びコンテンツカテゴリが対応付けられたものである。時刻は、コンテンツに接続された時刻である。コンテンツカテゴリは、接続されたコンテンツのコンテンツカテゴリである。接続情報取得部１２は、コンテンツカテゴリ毎のデータ数である接続数（クリック回数）をカウントし、カウントしたコンテンツカテゴリ毎の接続数を接続情報とする。
【００４４】
接続情報取得部１２は、接続数に対して、予め設定された演算を行って演算後の数値を接続情報としてもよい。例えば、接続数の対数（例えば、底を１０とする対数、又は自然対数）を取ったり、接続数に予め記憶した係数をかけ合せたりすることとしてもよい。例えば、ｌｏｇ１０（接続数）を接続情報としてもよい。
【００４５】
接続情報取得部１２は、取得した接続情報を表示情報生成部１３に出力する。接続情報取得部１２による接続情報の取得、即ち、接続情報の算出の一連の処理は、例えば、情報通信端末２０から表示情報サーバー１０によって提供される表示情報への接続（表示情報サーバー１０に対する表示情報の送信要求）があった場合に行われる。又は、当該処理は、例えば、予め設定された時間間隔毎に定期的に行われてもよい。
【００４６】
表示情報生成部１３は、相関情報取得部１１によって取得された相関情報、及び接続情報取得部１２によって取得された接続情報に基づいて、表示情報における各コンテンツの表示位置を決定して、当該表示情報を生成する表示情報生成手段である。表示情報生成部１３は、接続情報によって示されるコンテンツカテゴリ毎のコンテンツへの接続の度合いを、相関情報によって示される相関で重み付けして、コンテンツカテゴリ毎のスコアを算出して、算出したスコアに基づいて、表示情報における各コンテンツの表示位置を決定する。表示情報生成部１３は、以下のようにコンテンツカテゴリ毎のスコアを算出する。
【００４７】
表示情報生成部１３は、全てのコンテンツカテゴリのうち、一つのコンテンツカテゴリＣｉを選択する。ここで、ｉはコンテンツカテゴリを示すインデックスである。例えば、全てのコンテンツカテゴリが、ミュージック、トラベル、ショッピング、ファッションだった場合、ミュージックを選択する。ＣｉのスコアＳｉをゼロとする。続いて、表示情報生成部１３は、全てのコンテンツカテゴリのうち、一つのコンテンツカテゴリＣｊを選択する。ここで、ｊはコンテンツカテゴリを示すインデックスである。例えば、全てのコンテンツカテゴリが、ミュージック、トラベル、ショッピング、ファッションだった場合、ミュージックを選択する。
【００４８】
続いて、接続情報のうちのＣｉの数値（接続数）と、相関情報のうちＣｉとＣｊとの相関を示す値Ｄｉｊとを積算し、中間スコアＳｉｊとする。ＣｉのスコアＳｉに中間スコアＳｉｊを加算する。続いて、別のコンテンツカテゴリＣｊを選択し、同様に中間スコアを算出する。全てのコンテンツカテゴリＣｊで算出が終了したら、その時点での中間スコアがコンテンツカテゴリＣｉのスコアとなる。続いて、別のコンテンツカテゴリＣｉを選択して、同様にスコアを算出する。
【００４９】
表示情報生成部１３は、スコアが大きいコンテンツカテゴリの順番で表示情報にコンテンツを配置する。例えば、スコアが大きいコンテンツカテゴリのコンテンツほど、表示情報の上の方に来るように配置して表示情報を生成する。これにより、スコアが高いコンテンツほど、ユーザの目につきやすい位置に配置される。なお、表示情報に配置されるコンテンツは、予め表示情報サーバー１０に記憶されている。また、表示情報に配置される各コンテンツには、当該コンテンツの内容等に応じて、表示情報サーバー１０の管理者によって予めコンテンツカテゴリが設定されている。
【００５０】
表示情報生成部１３による表示情報の生成の処理は、情報通信端末２０から表示情報サーバー１０に対する表示情報の要求があった際に行われる。なお、表示情報の生成の際に用いられる接続情報は、表示情報の要求元の情報通信端末２０に対応するユーザＩＤのものが用いられる。表示情報生成部１３は、生成した表示情報を出力部１４に出力する。
【００５１】
出力部１４は、表示情報生成部１３によって生成された表示情報を出力する出力手段である。具体的には、出力部１４は、表示情報の要求元の情報通信端末２０に表示情報を送信することで出力する。以上が、本実施形態に係る表示情報サーバー１０の機能である。
【００５２】
図６に本実施形態に係る表示情報生成システムである表示情報サーバー１０のハードウェア構成を示す。図６に示すように表示情報サーバー１０は、ＣＰＵ（Central Processing Unit）１０１、主記憶装置であるＲＡＭ（RandomAccess Memory）１０２及びＲＯＭ（Read Only Memory）１０３、通信を行うための通信モジュール１０４、並びにハードディスク等の補助記憶装置１０５等のハードウェアを備えるコンピュータとして構成される。これらの構成要素がプログラム等により動作することにより、上述した表示情報サーバー１０の機能が発揮される。以上が、本実施形態に係る表示情報サーバー１０の構成である。
【００５３】
引き続いて、図７〜図９のフローチャートを用いて、本実施形態に係る表示情報サーバー１０で実行される処理（表示情報サーバー１０の動作方法）である表示情報生成方法を説明する。まず、図７を用いて相関情報を生成する際の処理について説明する。本処理は、相関情報取得部１１によって行われる。
【００５４】
本処理では、まず、図３（ａ）に示すような接続ログが取得される（Ｓ０１、相関情報取得ステップ）。続いて、個々の接続ログについてコンテンツカテゴリへの変換が行われ、図３（ｂ）に示すような変換後の接続ログが得られる。また、変換後の接続ログから、図４に示すようなユーザＩＤ毎にどのコンテンツカテゴリのコンテンツに接続しているかを示す情報が生成される（Ｓ０２、相関情報取得ステップ）。
【００５５】
続いて、当該情報に基づいて、各コンテンツカテゴリの支持度が算出される（Ｓ０３、相関情報取得ステップ）。また、各コンテンツカテゴリ同士の信頼度が算出される（Ｓ０４、相関情報取得ステップ）。続いて、算出された支持度と信頼度とから、互いに異なるコンテンツカテゴリ同士のリフト値が算出される（Ｓ０５、相関情報取得ステップ）。続いて、互いに異なるコンテンツカテゴリ間の相関を示すリフト値のうち最大値と、発見性パラメータとから、同一コンテンツカテゴリ同士の発見性値が算出される（Ｓ０６、相関情報取得ステップ）。算出された各リフト値及び発見性値は、図２（ａ）に示す相関情報として表示情報サーバー１０に格納される（Ｓ０７）。以上が、相関情報を生成する際の処理である。
【００５６】
続いて、図８のフローチャートを用いて表示情報を生成する際の処理について説明する。本処理は、情報通信端末２０から表示情報サーバー１０に対して表示情報の送信要求が行われることで開始される。表示情報サーバー１０では、当該送信要求が受信される（Ｓ１１）。続いて、接続情報取得部１２によって、接続情報が取得される（Ｓ１２、接続情報取得ステップ）。この取得は、例えば、情報通信端末２０から接続ログ（クリックログ）が受信されることで行われる。また、本処理の前に、予め接続情報が取得されて表示情報サーバー１０に格納されている場合には、格納されている情報を読み出すことで接続情報が取得されてもよい。取得された接続情報は、接続情報取得部１２から表示情報生成部１３に入力される。続いて、表示情報生成部１３によって、接続情報と相関情報とからコンテンツカテゴリ毎のスコアが算出される（Ｓ１３、表示情報生成ステップ）。
【００５７】
スコアの算出について、図９のフローチャートを用いて説明する。まず、相関情報取得部１１によって取得されて表示情報サーバー１０に格納された相関情報が、表示情報生成部１３によって読み出される（Ｓ１３１）。まず、全てのコンテンツカテゴリのうち、一つのコンテンツカテゴリＣｉが選択される。ＣｉのスコアＳｉはゼロとされる（Ｓ１３２）。続いて、全てのコンテンツカテゴリのうち、一つのコンテンツカテゴリＣｊが選択される（Ｓ１３３）。
【００５８】
続いて、接続情報のうちのＣｉの数値（接続数）と、相関情報のうちＣｉとＣｊとの相関を示す値Ｄｉｊとが積算され、中間スコアＳｉｊが算出される（Ｓ１３４）。算出された中間スコアＳｉｊが、ＣｉのスコアＳｉに加算される（Ｓ１３５）。続いて、別のコンテンツカテゴリＣｊが選択され（Ｓ１３６）、同様に中間スコアが算出され、ＣｉのスコアＳｉに加算される（Ｓ１３３〜Ｓ１３５）。全てのコンテンツカテゴリＣｊについて、上記の算出が終了したら（Ｓ１３３のＮｏ）、その時点でのスコアＳｉがコンテンツカテゴリＣｉのスコアとされる。
【００５９】
続いて、別のコンテンツカテゴリＣｉが選択され（Ｓ１３７）、同様に当該別のコンテンツカテゴリＣｉのスコアＳｉが算出される（Ｓ１３２〜Ｓ１３６）。全てのコンテンツカテゴリＣｉについて、スコアＳｉの算出が終了したら（Ｓ１３２のＮｏ）、スコアの算出処理が終了する。
【００６０】
図８に戻り、続いて、表示情報生成部１３によって、算出されたコンテンツカテゴリのスコアに基づいて、コンテンツの配置が決定されて、表示情報が生成される（Ｓ１４、表示情報生成ステップ）。生成された表示情報は、表示情報生成部１３から出力部１４に出力される。続いて、出力部１４によって、表示情報が、表示情報の送信要求を行った情報通信端末２０に送信される（Ｓ１５、出力ステップ）。情報通信端末２０では、当該表示情報が受信されて表示される。
【００６１】
本実施形態では、コンテンツカテゴリ毎のコンテンツへの接続の度合いに基づいてコンテンツの表示位置が決定される。従って、表示対象のコンテンツ自体への接続の履歴が十分でない場合であっても、コンテンツの表示位置を適切にすることができる。また、コンテンツカテゴリ間の接続に係る相関に基づいてコンテンツの表示位置が決定されるため、例えば、潜在的にユーザが興味を持っていると考えられるコンテンツの表示位置を適切にすることができる。
【００６２】
具体的には、よく接続されているコンテンツと相関が高いコンテンツについて、対象のユーザから当該コンテンツ自体への接続があまりされていない場合であっても、上位に表示させることができる。このように、本実施形態によれば、コンテンツ自体への履歴が十分でない場合であっても、複数のコンテンツを含む表示情報をユーザが利用しやすいものとすることができる。即ち、表示情報のパーソナライズを適切に行うことができる。特に、ユーザが表示情報を参照するための情報通信端末２０がスマートフォン等の画面が小さい携帯端末であった場合でも、有効にサービスを推薦することができる。
【００６３】
また、本実施形態のように接続情報を相関情報で重み付けしてスコアを算出することとしてもよい。この構成によれば、適切かつ確実にコンテンツの表示位置を決定することができ、適切かつ確実に本発明を実施することができる。
【００６４】
また、本実施形態のように接続ログに基づいて、相関情報を算出することとしてもよい。この構成によれば、実際のコンテンツカテゴリに応じた情報への接続に基づく適切な相関情報を得ることができ、適切に本発明を実施することができる。
【００６５】
また、上述したようにスコアの算出の際に、接続数に対して対数をとったり、パラメータをかけ合せたり等の演算が行われてもよい。この構成によれば、接続の度合いを、例えば、コンテンツの並べ替えの目的に応じたものとすることができ、その結果、適切なコンテンツの並べ替えを行うことができる。具体的には、接続数（クリック回数）の影響を抑え、パーソナライズされる度合いを調整することができる。
【００６６】
また、本実施形態のように同一のコンテンツカテゴリ間の相関を、互いに異なるコンテンツカテゴリ間の相関を示すリフト値のうち最大値と、発見性パラメータとから算出することとしてもよい。この構成によれば、例えば、接続が多いコンテンツカテゴリのコンテンツの表示位置を、コンテンツの並べ替えの目的に応じたものとすることができ、その結果、適切なコンテンツの並べ替えを行うことができる。
【００６７】
例えば、発見性パラメータを高い値（例えば、１に近い値）にした場合、当該コンテンツカテゴリのコンテンツへの接続が、高い度合いで当該コンテンツカテゴリへのスコアに反映されることとなる。従って、既にユーザが多く接続しているコンテンツカテゴリのコンテンツ（即ち、ユーザがよく使っているコンテンツ）が上位に表示されることとなる。この場合、ユーザにとっての利便性は高くなると考えられるものの、新たなコンテンツの発見性は乏しい。
【００６８】
一方、発見性パラメータを低い値（例えば、０に近い値）にした場合、当該コンテンツカテゴリのコンテンツへの接続が、当該コンテンツカテゴリへのスコアには反映されず、高い度合いで当該コンテンツカテゴリとは別のコンテンツカテゴリへのスコアに反映されることとなる。従って、既にユーザが多く接続しているコンテンツカテゴリのコンテンツ（即ち、ユーザがよく使っているコンテンツ）が下位に表示され、既にユーザが多く接続しているコンテンツカテゴリのコンテンツと相関が強いコンテンツが上位に表示されることとなる。この場合、ユーザにとって新たなコンテンツの発見性が高まる。
【００６９】
また、上記の通り、情報通信端末２０は、表示される複数のコンテンツを含む表示情報における各コンテンツの表示位置が、（ａ）コンテンツの種別間の接続に係る相関を示す相関情報、（ｂ）種別毎のコンテンツへの接続の度合いを示す接続情報に基づき決定されることにより生成された当該表示情報を表示情報サーバー１０から取得して表示する情報通信端末２０である。
【００７０】
引き続いて、本実施形態の変形例について説明する。上述した実施形態では、コンテンツカテゴリのスコアの算出の際、生成対象の表示情報に含まれるコンテンツへの接続と、それ以外の表示情報のコンテンツへの接続とを区別していなかった。それらを区別してスコアを算出することとしてもよい。
【００７１】
この場合、接続情報取得部１２は、生成対象の表示情報に含まれるコンテンツに係る接続情報（本表示情報のクリックログ）、及び生成対象以外の表示情報に含まれるコンテンツに係る接続情報（外部接続ログデータ）を取得する。この取得は、表示情報の提供対象のユーザだけでなく、相関情報取得部１１が取得する相関情報算出用情報と同様に任意のユーザ（ユーザＩＤ）から行われる。接続情報取得部１２は、取得した接続情報を表示情報生成部１３に出力する。
【００７２】
表示情報生成部１３は、生成対象の表示情報に含まれるコンテンツに係る接続情報、及び生成対象以外の表示情報に含まれるコンテンツに係る接続情報の相違にも基づいて、各コンテンツの表示位置を決定する。表示情報生成部１３は、接続情報取得部１２から入力された情報に基づいて、以下のようにコンテンツカテゴリ毎のポテンシャル値を算出する。
【００７３】
表示情報生成部１３は、生成対象の表示情報に含まれるコンテンツに係る接続情報から、各コンテンツカテゴリの支持度を算出する。また、表示情報生成部１３は、生成対象以外の表示情報に含まれるコンテンツに係る接続情報から、各コンテンツカテゴリの支持度を算出する。支持度の算出方法は、上述した相関情報取得部１１によるものと同様である。
【００７４】
表示情報生成部１３は、算出したそれぞれの支持度から、予め記憶した以下の式によって各コンテンツカテゴリのポテンシャル値を算出する。
（ポテンシャル値）＝（外部接続ログデータの支持度）／（本表示情報のクリックログの支持度）
例えば、ファッションのコンテンツカテゴリについて、外部接続ログデータの支持度が０．７０、本表示情報のクリックログの支持度が０．３０であった場合、ポテンシャル値は２．３となる。外部接続ログデータの支持度が、本表示情報のクリックログの支持度を下回った場合、ポテンシャル値は１とする。
【００７５】
表示情報生成部１３は、スコアにポテンシャル値をかけ合せることで、新たなスコアを算出して、新たなスコアに基づいて、各コンテンツの表示位置を決定する。
【００７６】
この構成によれば、生成対象の表示情報での接続、及び生成対象以外の表示情報での接続に応じて、コンテンツの表示位置を適切なものとすることができる。
【００７７】
外部データから算出された各コンテンツカテゴリの支持度は、本サイト（表示情報サーバー１０によって提供される表示情報）以外で各コンテンツカテゴリのコンテンツがどの程度閲覧されているか（市場占有度）を示す。本サイトに導入されたばかりのコンテンツカテゴリのコンテンツは閲覧数が少ないため、既存手法だと接続ログが蓄積されていない。しかし、外部サイトの市場占有度を利用することで、あまりクリックされていないサイトも、一般的な市場占有度を考慮したコンテンツの並び順とすることが可能になる。
【００７８】
例えば、コンテンツカテゴリがファッション、動画の支持度がそれぞれ０．９、０．２だったとする。ファッションのコンテンツが新規に導入されたとする。ファッションのコンテンツ、動画のコンテンツの接続数が、それぞれ１、１０だった場合、従来手法だと接続数の多い動画がファッションより上位に設定される。支持度をかけ合せてスコアを算出すると、ファッションのコンテンツを上位に設定することができる。これによって、一般的なユーザの動向を反映した並び替えが可能になる。なお、本来は、スコアにポテンシャル値をかけ合せるが、上記の例では簡単のため、接続数にかけ合せた場合で説明している。
【００７９】
また、コンテンツが商品の購買に係るものであった場合、当該コンテンツを介して商品が購買されたか否かに基づいて、各コンテンツの表示位置を決定することとしてもよい。商品の購買に係るコンテンツは、例えば、販売される商品の情報が含まれるものであり、ユーザは当該コンテンツに含まれる購入ボタンをクリックすること等によって当該コンテンツを介して商品を購入することができる。
【００８０】
この場合、接続情報取得部１２は、コンテンツから商品が購買された度合いを示す購買情報（購買ログ）も取得する。図５（ｂ）に示すように購買情報は、例えば、時刻及びコンテンツカテゴリが対応付けられたものである。時刻は、コンテンツを介して商品が購入された時刻である。コンテンツカテゴリは、商品が購入されたコンテンツのコンテンツカテゴリである。例えば、接続情報取得部１２は、各情報通信端末２０のブラウザで記憶されている購買情報を受信することで取得する。接続情報取得部１２は、取得した購買情報を表示情報生成部１３に出力する。
【００８１】
表示情報生成部１３は、購買情報にも基づいて、表示情報における各コンテンツの表示位置を決定する。表示情報生成部１３は、接続情報取得部１２から入力された情報に基づいて、以下のようにコンテンツカテゴリ毎のコンバージョン値を算出する。
（コンバージョン値）＝（購買数）／（接続数）
例えば、ブックのコンテンツカテゴリについて、接続数が３、購買数が１としたとき、ブックのコンテンツカテゴリのコンバージョン値は０．３３となる。なお、コンバージョン値は、ユーザＩＤ（表示情報の送信対象）毎の購買数及び接続数から算出されてもよいし、任意の複数のユーザＩＤの合算の購買数及び接続数から算出されてもよい。
【００８２】
表示情報生成部１３は、スコアにコンバージョン値をかけ合せることで、新たなスコアを算出して、新たなスコアに基づいて、各コンテンツの表示位置を決定する。
【００８３】
この構成によれば、コンテンツに係る商品の購買、例えば上記のような購買率に応じて、コンテンツの表示位置を適切なものとすることができる。上記のコンバージョン値は、各コンテンツをクリックした人の総数に対して、コンテンツ内での購買人数の占める割合である。コンバージョン値が高いほど、対象のサイトの売り上げ効果が高いことを示す。接続数にコンバージョン値をかけ合せることで売り上げ効果の高いコンテンツを上位に設定できる。
【００８４】
なお、ポテンシャル値及びコンバージョン値の何れかを用いる場合、表示情報生成部１３は、以下のように各コンテンツカテゴリの二次スコアを算出して、各コンテンツの表示位置を決定してもよい。
（二次スコア）＝（コンテンツカテゴリの一次スコア）×α×（コンテンツカテゴリのポテンシャル値及びコンバージョン値の何れか）×β
コンテンツカテゴリの一次スコアは、上述した実施形態で算出されるスコアである。また、α、βは予め設定されるパラメータである。例えば、ファッションのコンテンツカテゴリについて、一次スコアが２．３、αが０．５、βが０．７であった場合、二次スコアは２．７６となる。また、上記の式以外にも、ポテンシャル値の対数（例えば、底を１０とする対数、又は自然対数）を取った上で、係数βをかけ合せることでポテンシャル値の影響を抑えることも可能である。
【符号の説明】
【００８５】
１０…表示情報サーバー、１１…相関情報取得部、１２…接続情報取得部、１３…表示情報生成部、１４…出力部、１０１…ＣＰＵ、１０２…ＲＡＭ、１０３…ＲＯＭ、１０４…通信モジュール、１０５…補助記憶装置、２０…情報通信端末。
【図１】
0006456169.tif 000002
【図２】
0006456169.tif 000003
【図３】
0006456169.tif 000004
【図４】
0006456169.tif 000005
【図５】
0006456169.tif 000006
【図６】
0006456169.tif 000007
【図７】
0006456169.tif 000008
【図８】
0006456169.tif 000009
【図９】
0006456169.tif 000010